(57)【特許請求の範囲】
【請求項１】
同報配信される複数のメッセージを受信可能な移動通信端末であって、
有限な帯域をサイクリックに使用する識別子を含むメッセージを受信するメッセージ受信手段と、
受信したメッセージから抽出された前記識別子を順次記憶するメッセージ識別子管理テーブルと、
該メッセージ識別子管理テーブルに記憶されている全ての識別子と新たに受信したメッセージの識別子とを比較する識別子比較手段と、
該識別子比較手段での比較の結果、相互に一致する識別子がないときに、当該新たに受信した識別子に対応する新たに受信したメッセージのみを通知する新規メッセージ通知手段と、
前記識別子比較手段での比較の結果、相互に一致する識別子があるときに、当該一致する識別子に対応する新たに受信したメッセージを破棄する重複メッセージ破棄手段と、
前記識別子が一周するまでに古い識別子が前記識別子管理テーブルに記憶されたままとならないように所定時間を設定し、識別子を記憶してから前記所定時間が経過した場合に、該識別子を削除する識別子管理手段と、
を有することを特徴とする移動通信端末。
【請求項２】
前記メッセージ識別子管理テーブルは、識別子の最大管理数を有し、該最大管理数に至るまでは前記識別子を記憶可能であり、
前期識別子管理手段は、前記所定時間を経過する前に記憶する識別子が前記最大管理数に達した場合は、古い識別子から削除することを特徴とする請求項１に記載の移動通信端末。
【請求項３】
同報配信される複数のメッセージを受信する方法であって、
有限な帯域をサイクリックに使用する識別子を含むメッセージを受信するステップと、
受信したメッセージから抽出された前記識別子をメッセージ識別子管理テーブルに順次記憶するステップと、
そのメッセージ識別子管理テーブルに記憶されている全ての識別子と新たに受信したメッセージの識別子とを比較するステップと、
前記識別子相互の比較の結果、相互に一致する識別子がないときには当該新たに受信した識別子に対応する新たに受信したメッセージのみを通知するステップと、
前記識別子相互の比較の結果、相互に一致する識別子があるときには当該一致する識別子に対応する新たに受信したメッセージを破棄するステップと、
前記識別子が一周するまでに古い識別子が前記識別子管理テーブルに記憶されたままとならないように所定時間を設定し、識別子を記憶してから前記所定時間が経過した場合に、該識別子を削除する識別子管理ステップと、
を含むことを特徴とする同報配信におけるメッセージ受信方法。
【請求項４】
前記メッセージ識別子管理テーブルは、識別子の最大管理数を有し、該最大管理数に至るまでは前記識別子を記憶可能であり、
前期識別子管理ステップは、前記所定時間を経過する前に記憶する識別子が前記最大管理数に達した場合は、古い識別子から削除することを特徴とする請求項３に記載の同報配信におけるメッセージ受信方法。
【発明の詳細な説明】
【技術分野】
【０００１】
本発明は、一定のエリアに在圏している移動通信端末全体に向けてメッセージ配信をする同報配信システムに用いられる移動通信端末、同報配信におけるメッセージ受信方法に関する。
【背景技術】
【０００２】
近年、セルブロードキャストサービス（ＣＢＳ：Cell  Broadcast  Service）等による同報配信において、移動通信網を利用して緊急地震情報や広告の配信を複数の移動通信端末に行う技術が発達してきている（例えば特許文献１ないし２参照）。
ＣＢＳはユニキャスト通信とは異なり、複数の移動通信端末に対して情報を同報するため、ネットワーク帯域を浪費せず、情報提供サーバなど情報配信装置に負担をかけずに済むという利点を持っている。
【特許文献１】特開２００１−１９７０２１号公報
【特許文献２】特開２００７−６０７１５号公報
【発明の開示】
【発明が解決しようとする課題】
【０００３】
一方、ＣＢＳなどの同報配信基盤を利用した同報配信は、個別の移動通信端末との相互の通信によって送達確認ができる従来の通信とは異なり、不特定多数の移動通信端末に一方的に送信するものである。そのため、個別の移動通信端末に対する送達確認ができないことから、同一のメッセージを複数回送出するのが通例である。したがって、移動通信端末側は、同一のメッセージを複数回受信することになる。
ここで、上記のメッセージには、送信元や送信メッセージのカテゴリやテーマ等を示す「Ｍｅｓｓａｇｅ  ＩＤ」や、メッセージ自体の特性を示すＩＤである「Ｓｅｒｉａｌ  Ｎｕｍｂｅｒ」などの特定のコードが存在する。そのため、これらを組み合わせたりすることによって各メッセージを個別に識別することができる。
【０００４】
そこで、従来、移動通信端末側では、この特定のコードやそれらの組み合わせによる識別子によって、前回受信済みのメッセージの識別子と再度受信したメッセージの識別子とを比較し、重複メッセージであるか否かを判定している。つまり、例えば図９に示すように、今、メッセージＡが配信され（ステップＳ１０８Ａ）、続けて同じメッセージＡが再度配信されたときは（ステップＳ１０８Ａ’）、識別子相互が同一と判断される。これにより、後のメッセージ（ステップＳ１０８Ａ’）を移動通信端末内にて破棄し、重複メッセージを受信者（つまり、ユーザ）に通知しない（例えば表示したり、着信音を鳴らしたりしない）ようにし、受信者の利便性を向上させている。
【０００５】
しかしながら、このような重複メッセージの回避方法では、以下のような問題がある。すなわち、例えば図１０に示すように、最初のメッセージＡの受信（ステップＳ１０８Ａ）後に、他のメッセージＢが受信され（ステップＳ１０８Ｂ）、その後、再びメッセージＡが受信される（ステップＳ１０８Ａ’）という順番で移動通信端末が複数のメッセージを受信した際には、それぞれ前回とは異なる識別子が取得される。そのため、移動通信端末側は、全てのメッセージを受信してしまうことになり、重複する受信済みメッセージを適切に破棄することができない。
【０００６】
つまり、図１０に示す例における２回目のメッセージＡ（ステップＳ１０８Ａ’）は、１回目のメッセージＡ（ステップＳ１０８Ａ）と重複しているので、本来ならば端末内部にて破棄されるのが好ましい。しかし、前回とは異なる識別子（「Ｍｅｓｓａｇｅ  ＩＤ」＋「Ｓｅｒｉａｌ  Ｎｕｍｂｅｒ」）として取得されるため、端末は別のメッセージとして認識してしまい、重複したメッセージまで受信したことを受信者に通知することになる。したがって、受信済みメッセージと新規メッセージとをより適切に識別し、新規なメッセージのみを受信者に通知すべきと考えられる。
【０００７】
そこで、本発明は、このような問題点に着目してなされたものであって、セルブロードキャスト等による同報配信において、受信済みメッセージと新規メッセージとの識別をより適切に可能とし、新規メッセージのみを受信者に通知することができる移動通信端末、同報配信におけるメッセージ受信方法を提供することを目的としている。
【課題を解決するための手段】
【０００８】
上記課題を解決するために、本発明のうち第一の発明は、同報配信される複数のメッセージを受信可能な移動通信端末であって、有限な帯域をサイクリックに使用する識別子を含むメッセージを受信するメッセージ受信手段と、受信したメッセージから抽出された前記識別子を順次記憶するメッセージ識別子管理テーブルと、該メッセージ識別子管理テーブルに記憶されている全ての識別子と新たに受信したメッセージの識別子とを比較する識別子比較手段と、該識別子比較手段での比較の結果、相互に一致する識別子がないときに、当該新たに受信した識別子に対応する新たに受信したメッセージのみを通知する新規メッセージ通知手段と、前記識別子比較手段での比較の結果、相互に一致する識別子があるときに、当該一致する識別子に対応する新たに受信したメッセージを破棄する重複メッセージ破棄手段と、前記識別子が一周するまでに古い識別子が前記識別子管理テーブルに記憶されたままとならないように所定時間を設定し、識別子を記憶してから前記所定時間が経過した場合に、該識別子を削除する識別子管理手段と、を有することを特徴としている。
【０００９】
第一の発明に係る移動通信端末によれば、メッセージ識別子管理テーブル、識別子比較手段および新規メッセージ通知手段を有し、メッセージ識別子管理テーブルは、受信したメッセージ毎の固有の識別子を順次記憶するので、異なる複数のメッセージがあれば、各メッセージ毎の固有の複数の識別子を記憶することができる。そして、識別子比較手段は、メッセージ識別子管理テーブルに記憶されている全ての識別子と新たに受信したメッセージの識別子とを比較し、新規メッセージ通知手段は、識別子比較手段での比較の結果、相互に一致する識別子がないときに、当該新たに受信した識別子に対応する新たに受信したメッセージのみを通知するので、複数のメッセージが配信される順序にかかわらず、受信済みメッセージと新規メッセージとを適切に識別し得て、新規メッセージのみを通知することができる。
【００１０】
また、第一の発明に係る移動通信端末は、前記識別子比較手段での比較の結果、相互に一致する識別子があるときに、当該一致する識別子に対応する新たに受信したメッセージを破棄する重複メッセージ破棄手段を有するので、メモリを節約する上で好適である。
【００１１】
ところで、通常、識別子は有限な帯域をサイクリック（循環的）に使用している。そのため、上記識別子記憶手段において、識別子が１周するまで古い識別子を記憶したままであると、新たに受信したメッセージが、以前とは異なる新規なメッセージであるにも関わらず、受信済みの重複したメッセージとして取り扱われてしまうことが想定される。
そこで、上記第一の発明に係る移動通信端末は、前記識別子が一周するまでに古い識別子が前記識別子管理テーブルに記憶されたままとならないように所定時間を設定し、識別子を記憶してから前記所定時間が経過した場合に、該識別子を削除する識別子管理手段を有するので、サイクリックに使用される帯域が少ない場合であっても、所定時間が経過した識別子が削除される。そのため、受信済みメッセージと新規メッセージとの識別をより適切に実行する上で好適である。
ここで、上記第一の発明に係る移動通信端末において、前記メッセージ識別子管理テーブルは、識別子の最大管理数を有し、該最大管理数に至るまでは前記識別子を記憶可能であり、前期識別子管理手段は、前記所定時間を経過する前に記憶する識別子が前記最大管理数に達した場合は、古い識別子から削除する構成としてもよい。
【００１２】
また、本発明のうち第二の発明は、同報配信される複数のメッセージを受信する方法であって、有限な帯域をサイクリックに使用する識別子を含むメッセージを受信するステップと、受信したメッセージから抽出された前記識別子をメッセージ識別子管理テーブルに順次記憶するステップと、そのメッセージ識別子管理テーブルに記憶されている全ての識別子と新たに受信したメッセージの識別子とを比較するステップと、前記識別子相互の比較の結果、相互に一致する識別子がないときには当該新たに受信した識別子に対応する新たに受信したメッセージのみを通知するステップと、前記識別子相互の比較の結果、相互に一致する識別子があるときには当該一致する識別子に対応する新たに受信したメッセージを破棄するステップと、前記識別子が一周するまでに古い識別子が前記識別子管理テーブルに記憶されたままとならないように所定時間を設定し、識別子を記憶してから前記所定時間が経過した場合に、該識別子を削除する識別子管理ステップと、を含むことを特徴としている。
【００１３】
第二の発明に係る同報配信でのメッセージ受信方法によれば、受信したメッセージ毎の固有の識別子を順次記憶し、その記憶している全ての識別子と新たに受信したメッセージ毎の識別子とを比較し、この比較の結果、相互に一致する識別子がないときは、当該新たに受信した識別子に対応する新たに受信したメッセージのみを通知するので、受信済みメッセージと新規メッセージとを適切に識別して、新規メッセージのみを通知することができる。また、前記比較の結果、相互に一致する識別子があるときは、当該一致する識別子に対応する新たに受信したメッセージを破棄するので、メモリを節約することができる。
また、第二の発明に係る同報配信でのメッセージ受信方法によれば、前記識別子が一周するまでに古い識別子が前記識別子管理テーブルに記憶されたままとならないように所定時間を設定し、識別子を記憶してから前記所定時間が経過した場合に、該識別子を削除するので、サイクリックに使用される帯域が少ない場合であっても、所定時間が経過した識別子が削除される。そのため、受信済みメッセージと新規メッセージとの識別をより適切に実行する上で好適である。
ここで、上記第二の発明に係る同報配信でのメッセージ受信方法において、前記メッセージ識別子管理テーブルは、識別子の最大管理数を有し、該最大管理数に至るまでは前記識別子を記憶可能であり、前期識別子管理ステップは、前記所定時間を経過する前に記憶する識別子が前記最大管理数に達した場合は、古い識別子から削除するようにしてもよい。
【発明の効果】
【００１４】
上述のように、本発明によれば、セルブロードキャスト等による同報配信において、受信済みメッセージと新規メッセージとをより適切に識別可能とし、新規メッセージのみを通知することができる。
【発明を実施するための最良の形態】
【００１５】
以下、本発明の一実施形態について、図面を適宜参照しつつ説明する。
（システムの構成例）
図１は、本発明に係る同報配信システムの一実施形態の構成例を示すブロック図である。
同図に示すように、この同報配信システムは、無線サービスエリア１０（１０ａ、１０ｂ…１０ｄ）をそれぞれ形成するための無線基地局（ＢＴＳ：Base Transceiver Station）２（２ａ、２ｂ、…２ｃ、２ｄ）と、無線基地局２ａ、２ｂ…２ｃ、２ｄに対応して設けられ、対応する無線基地局の制御を行う基地局制御装置（ＲＮＣ：Radio Network Controller）３（３ａ、３ｂ）と、回線交換処理やパケット交換処理を行う交換機４と、情報源７から入力される情報を一定のエリアに在圏している移動通信端末全体に向けて配信するためのセルブロードキャストセンタ（ＣＢＣ：Cell Broadcast Centre）６と、を含んで構成されている。
【００１６】
移動通信端末（ＵＥ：User Equipment）１は、無線サービスエリアに在圏している場合に、セルブロードキャストによる同報配信サービスの提供を受けることができる。なお、交換機４は、一般に、ＳＧＳＮ（Serving GPRS Support Node）と呼ばれる装置である。また、情報源７は、例えば、地震情報、津波情報、台風情報などの災害情報を提供するサーバ装置や、買い物のための特売情報を提供するサーバ装置などである。
【００１７】
（セルブロードキャスト）
次に、この同報配信システムで、情報がセルブロードキャスト（以下、適宜「ＣＢＳ」と略称する）で配信される場合の処理について図２を参照して説明する。なお、同図は、無線基地局２ａに対応する無線サービスエリアに移動通信端末１ａが在圏し、無線基地局２ｂに対応する無線サービスエリアに移動通信端末１ｂ、１ｃが在圏している例である。
本例において、セルブロードキャストセンタ６から交換機４を経由して、基地局制御装置３ａ、３ｂまでの間の通信は、３ＧＰＰ TS25.419に規定されているＳＡＢＰ（Service Area Broadcast Protocol）に従って行われる。また、基地局制御装置３ａ、３ｂから無線基地局２ａ、２ｂを経由して、各移動通信端末１（１ａ、１ｂ、１ｃ）までの間の通信は、３ＧＰＰ TS25.324に規定されているＢＭＣ（Broadcast/Multicast Control）に従って行われる。
【００１８】
同図において、情報源７からセルブロードキャストセンタ６へ災害情報などについての配信要求が送信される（ステップＳ１０１）。すると、この配信要求を受信したセルブロードキャストセンタ６から情報源７へ応答が返信される（ステップＳ１０２）。
その後、セルブロードキャストセンタ６から基地局制御装置に向けて、Write-Replace Messageが送信される（ステップＳ１０３）。このWrite-Replace Messageは、送信対象の基地局制御装置の台数分送信される。本例では、基地局制御装置３ａが送信対象であり、基地局制御装置３ｂは送信対象になっていない。このため、交換機４から基地局制御装置３ａへ、Write-Replace Messageが転送される（ステップＳ１０３'）。この場合、Write-Replace Messageが透過転送される。
【００１９】
そして、このWrite-Replaceメッセージを受信した基地局制御装置３ａでは、配信先が決定され、Paging Type1 Message、つまりＰａｇｉｎｇ信号が送信される（ステップＳ１０４）。次に、報知情報更新のためのSystem Information Update Requestが基地局制御装置３ａから無線基地局２ａ、２ｂへ送信される（ステップＳ１０５）。すると、報知情報が各移動通信端末１ａ、１ｂ、１ｃへ報知される（ステップＳ１０６）。
【００２０】
これにより移動通信端末１ａ、１ｂ、１ｃ側では、無線基地局２ａ、２ｂからの要求で受信チャネルが設定され、BMC Schedule Messageが移動通信端末１ａ、１ｂ、１ｃへ送信された後（ステップＳ１０７）、BMC CBS Messageが移動通信端末１ａ、１ｂ、１ｃへ送信される（ステップＳ１０８）。これを受信した移動通信端末１ａ、１ｂ、１ｃでは、ＣＢＳメッセージの内容を自身の表示部に表示することによって通知する。なお、本例において、ＣＢＳメッセージは、基地局制御装置３ａから無線基地局２ｂまではユニキャストで送信され、無線基地局２ｂから移動通信端末１ｂ、１ｃまではマルチキャストで送信される。
【００２１】
以上のように、ＣＢＳを用いて配信すれば、災害情報や緊急情報を移動通信端末に効率的に伝えることができる。上述の同報配信システムは、配信側の無線基地局２から不特定多数の移動通信端末１へ一方的に送信されるため、送達確認ができないことから、同一のメッセージを複数回送出するものである。そのため、移動通信端末側は、同一のメッセージを複数回受信することになる。
【００２２】
ここで、この同報配信システムで用いられる移動通信端末１は、受信したメッセージ毎の固有の識別子をそれぞれ記憶し、その記憶している全ての識別子と新たに受信したメッセージの識別子とを比較し、その識別子相互の比較による判断に基づいて、相互に一致する識別子がないときには当該新たに受信した識別子に対応する新たに受信したメッセージを通知し、また、相互に一致する識別子があるときには当該一致する識別子に対応する新たに受信したメッセージを破棄するというメッセージ受信処理を実行するようになっている。以下、この移動通信端末１、およびメッセージ受信処理について詳細に説明する。
【００２３】
（移動通信端末の構成例）
まず、上記移動通信端末１の構成例について説明する。なお、図３は、図１ないし図２中の移動通信端末１の構成例を示すブロック図である。
図３に示すように、この移動通信端末１は、上記識別子を含む各種の情報を記憶する記憶部であるメモリ１１と、上記同報配信システムのネットワークと接続することによって無線基地局２との通信を行う無線通信制御部１２と、ユーザの操作によって各種の情報を入力するための操作部１３と、各種の情報を画面に表示するための表示部であるディスプレイ１４と、上記メッセージ受信処理を含む所定のプログラムを実行するとともに装置内の各部を制御するＣＰＵを含むメッセージ受信処理部１５とを有して構成され、これらは、データを転送するための信号線であるバス１６で相互にかつデータ授受可能に接続されている。
【００２４】
（メッセージ受信処理の例）
次に、上記メッセージ受信処理の一例について説明する。なお、図４は、この移動通信端末１でのメッセージ受信処理の流れを示すフローチャートである。また、図５はこのメッセージ受信処理中に参照されるパラメータ設定テーブルの一例を示す図である。
このメッセージ受信処理は、配信側の無線基地局２から移動通信端末１への同報配信の開始から終了までの間実行される一連の処理であって、上記メッセージ受信処理部１５において実行されると、図４に示すように、ステップＳ１〜Ｓ２に順に移行する。ステップＳ１〜Ｓ２では、上述した、Ｐａｇｉｎｇ信号および同報配信の開始の契機となる報知情報を受信したらステップＳ３に移行し、ステップＳ３では、受信チャネルを設定（チャネルオープン）して、新たなメッセージの受信に必要な一連の処理を開始してステップＳ４に移行する。
【００２５】
ステップＳ４では、メモリ１１に記憶されている、過去に受信したメッセージ毎の固有の識別子の全てと新たに受信したメッセージの識別子とを順次に比較する。ここで、各メッセージ固有の識別子は、従来同様に、「Ｍｅｓｓａｇｅ  ＩＤ」および「Ｓｅｒｉａｌ  Ｎｕｍｂｅｒ」を組み合わせることによって構成され、これにより、各メッセージを個別に識別している。なお、図６は、識別子を構成するための「Ｓｅｒｉａｌ  Ｎｕｍｂｅｒ」の一例を示す図であり、同図において、「Ｕｐｄａｔｅ  Ｎｕｍｂｅｒ」は、メッセージの識別子であり、有限な帯域をサイクリック（循環的）に使用している。
【００２６】
そして、このメッセージ受信処理は、以下のように行われる。すなわち、ステップＳ４での比較の結果、相互に一致する識別子があるとき、つまり、メモリ１１に記憶されているいずれかの識別子に対して新たに受信したメッセージの識別子が一致する場合には、ステップＳ５に移行する。一方、このステップＳ４での比較の結果、相互に一致する識別子がないとき、つまり、メモリ１１に記憶されているいずれの識別子に対しても新たに受信したメッセージの識別子が異なる場合、またはメモリ１１に記憶されている識別子がない場合には、ステップＳ６に移行する。
【００２７】
ステップＳ５では、今回新たに受信したメッセージを破棄してステップＳ８に移行する。
ステップＳ６では、今回新たに受信した識別子に対応する新たに受信したメッセージのみをディスプレイ１４に表示してステップＳ７に移行する。なお、受信者への通知は、ディスプレイ１４へのメッセージの表示に限らず、例えば着信音を鳴らしたり、バイブレーション機能を利用して通知したりしてもよい。
続くステップＳ７では、今回新たに受信したメッセージの識別子をメモリ１１に記憶する。ここで、メモリ１１内には過去に受信した他のメッセージ固有の識別子も記憶されており、このステップＳ７では、メッセージ毎の固有の識別子をそれぞれメモリ１１に記憶していくようになっている。
【００２８】
そして、続くステップＳ８〜Ｓ９に順に移行し、ステップＳ８〜Ｓ９では、Ｐａｇｉｎｇ信号および同報配信の終了の契機となる報知情報を受信したらステップＳ１０に移行し、ステップＳ１０では、受信チャネルを解除（チャネルクローズ）して処理を戻す。なお、上記ステップＳ７およびメモリ１１を含む構成が、上記課題を解決するための手段に記載の「メッセージ識別子管理テーブル」に対応し、上記ステップＳ４が、同じく上記「識別子比較手段」に対応し、ステップＳ６が、同じく上記「新規メッセージ通知手段」に対応し、ステップＳ５が、同じく上記「重複メッセージ破棄手段」に対応している。
【００２９】
ここで、本実施形態の例では、上述のように、識別子は有限な帯域をサイクリックに使用しているため、識別子が１周するまで古い識別子を記憶したままであると、新たに受信したメッセージが、以前とは異なる新規なメッセージであるにも関わらず、受信済みの重複したメッセージとして取り扱われてしまうことが想定される。そこで、上記ステップＳ７では、以下に詳述する識別子管理処理が実行され、メモリ１１によって記憶している各識別子を、各識別子を記憶してから所定時間が経過したときに、当該所定時間が経過した識別子を削除するようになっている。
【００３０】
ここで、以下の識別子管理処理中、識別子の最大管理数Ｍ、所定時間ＴmaxおよびタイマＴNは、図６に示すパラメータ設定テーブルが参照されて設定されるが、識別子の最大管理数Ｍ、所定時間Ｔmaxについては、不揮発領域やヘッダファイル等にて定義し、その値を容易に変更できるようになっている。同図の例では、デフォルト（初期設定）が、識別子の最大管理数Ｍ＝２０（個）、所定時間Ｔmax＝７０（分）である。なお、識別子のタイマＴNは変更できない。
【００３１】
詳しくは、この識別子管理処理は、図７に示す一連の処理であって、実行されるとステップＳ７１に移行する。ステップＳ７１では、現在のメモリ１１内に記憶している識別子の数がＮ（Ｎは自然数）のとき、今回記憶する新たな識別子の管理番号を「Ｎ＋１」とし、この値が、メモリ容量などの制限から規定される識別子の最大管理数Ｍ（図５参照）を超えたか否かを判定する。その結果、「Ｎ＋１＞Ｍ」であれば（Ｙｅｓ）、ステップＳ７２に移行し、そうでなければ（Ｎｏ）、ステップＳ７３に移行する。ステップＳ７２では、一番古い識別子、つまり管理番号１の識別子を削除して新規のものを識別子の管理テーブルに追加可能にしてからステップＳ７３に移行する。
【００３２】
ステップＳ７３では、新たな識別子（管理番号Ｎ＋１）を記憶し、続くステップＳ７４で当該新たな識別子Ｎ＋１に対して個別のタイマＴN+1を設定し、当該タイマＴN+1を、ＴN+1＝０としてステップＳ７５に移行する（図５参照）。
ステップＳ７５では、今回記憶した新たな識別子Ｎ＋１の一つ前の識別子（管理番号Ｎ）について、当該識別子ＮのタイマＴNが所定時間Ｔmax（図５参照）を経過しているか否かを判定する。その結果、タイマＴNが所定時間Ｔmaxを経過していれば（Ｙｅｓ）、ステップＳ７６に移行し、そうでなければ（Ｎｏ）、ステップＳ７７に移行する。ステップＳ７６では、所定時間Ｔmaxが経過した識別子Ｎを管理テーブルから削除して、ステップＳ７７に移行する。
【００３３】
ステップＳ７７では、識別子の管理番号Ｎをデクリメント（Ｎ＝Ｎ−１）してステップＳ７８に移行し、管理番号Ｎの値が０になればステップＳ７９に移行し、そうでなければステップＳ７５に処理を戻す。これにより、過去に記憶した他の識別子に順に遡って、各識別子に個別に設定されているタイマＴNが所定時間Ｔmaxを経過しているか否かが順次に判定される。そして、ステップＳ７９では、メモリ１１内に残された識別子の管理テーブルを、記憶した順にソートして管理番号を整理し、元の処理に復帰する。なお、この識別子管理処理でのステップＳ７３〜Ｓ７８が、上記課題を解決するための手段に記載の「識別子管理手段」に対応している。
【００３４】
（システムの動作例）
次に、この移動通信端末１およびこれを含む同報配信システムの動作例について説明する。なお、図８はこの同報配信システムの動作例を示すシーケンス図である。同シーケンス図には、セルブロードキャストセンタ６、無線基地局２および移動通信端末１による信号授受が示されている。
同図において、セルブロードキャストセンタ６から無線基地局２にＣＢＳメッセージの配信要求がなされると（ステップＳ１０３）、メッセージの配信側である無線基地局２側から移動通信端末１に、上述同様、同報配信の開始の契機となる報知情報や、その報知情報の変更を報知するＰａｇｉｎｇ信号が送信され（ステップＳ１０４、Ｓ１０６）、これにより移動通信端末１は受信チャネルを設定する（ステップＳ３）。
【００３５】
そして、例えば無線基地局２側からＣＢＳメッセージＡ（ステップＳ１０８Ａ）、ＣＢＳメッセージＢ（ステップＳ１０８Ｂ）、ＣＢＳメッセージＡ（ステップＳ１０８Ａ’）がこの順に配信されると、これを受信した移動通信端末１は、各メッセージの識別子が、メモリ１１に記憶されているいずれかの識別子に対して一致するか否かをそれぞれ判定する（ステップＳ４）。その結果、最初のＣＢＳメッセージＡ（ステップＳ１０８Ａ）が、初回であれば、その識別子に一致するものが無いため、ＣＢＳメッセージＡの内容をディスプレイ１４に表示する（ステップＳ２００Ａ）。次いで、ＣＢＳメッセージＢ（ステップＳ１０８Ｂ）についても、初回であれば、その識別子に一致するものが無いため、ＣＢＳメッセージＢの内容をディスプレイ１４に表示する（ステップＳ２００Ｂ）。
【００３６】
これに対し、ステップＳ１０８Ａ’でのＣＢＳメッセージＡは、そのメッセージの識別子が、メモリ１１に記憶されている識別子に対して一致するものがあるため、当該ＣＢＳメッセージＡの内容はディスプレイ１４に表示せずにメモリから破棄される。
その後、同図に示すように、無線基地局２側から配信終了の報知となる、報知情報の変更を報知するＰａｇｉｎｇ信号を移動通信端末１が受信し（ステップＳ１２０）、さらに同報配信の終了の契機となる報知情報が受信されたら（ステップＳ１２１）、移動通信端末１は、同報配信用の受信チャネルを解除（チャネルクローズ）して（ステップＳ７）受信を終える。
【００３７】
このように、この移動通信端末１によれば、受信したメッセージ毎の固有の識別子をそれぞれ記憶するので、異なる複数のメッセージがあれば、各メッセージ毎の固有の複数の識別子を記憶することができる。そして、その記憶している全ての識別子と新たに受信したメッセージの識別子とを比較し、相互に一致する識別子がないときには、当該新たに受信した識別子に対応する新たに受信したメッセージをディスプレイ１４に表示するので、受信済みメッセージと新規メッセージとを適切に識別し得て、新規メッセージのみを通知することができる。
【００３８】
また、この移動通信端末１によれば、その記憶している全ての識別子と新たに受信したメッセージの識別子とを比較し、相互に一致する識別子があるときに、当該一致する識別子に対応する新たに受信したメッセージを破棄するので、メモリを節約することができる。
また、この移動通信端末１によれば、記憶している複数の識別子を、各識別子を記憶してから所定時間Ｔmaxが経過したときに、当該所定時間Ｔmaxが経過した識別子を削除するので、サイクリックに使用される帯域が少ない場合であっても、受信済みメッセージと新規メッセージとの識別をより適切に処理することができる。
【００３９】
さらに、上述した同報配信におけるメッセージ受信方法によれば、受信したメッセージ毎の固有の識別子をそれぞれ記憶し、その記憶している全ての識別子と新たに受信したメッセージ毎の識別子とを比較して、この比較による判断に基づいて、相互に一致する識別子がないときは、当該新たに受信した識別子に対応する新たに受信したメッセージのみを通知するので、適切に受信済みメッセージと新規メッセージとを識別して、新規メッセージのみを通知することができる。また、相互に一致する識別子があるときは、当該一致する識別子に対応する新たに受信したメッセージを破棄するので、メモリを節約することができる。
【００４０】
以上説明したように、この移動通信端末１、および同報配信におけるメッセージ受信方法によれば、セルブロードキャスト等による同報配信において、受信済みメッセージと新規メッセージをより適切に識別可能とし、新規メッセージのみを通知することができる。
なお、本発明に係る移動通信端末、同報配信におけるメッセージ受信方法は、上記実施形態に限定されるものではなく、本発明の趣旨を逸脱しなければ種々の変形が可能なことは勿論である。
【００４１】
例えば、上記実施形態では、同報配信がセルブロードキャストである例で説明したが、これに限らず、種々の同報配信に適用することができる。
また、例えば上記実施形態では、移動通信端末１は、記憶している各識別子を、その記憶をしてから所定時間が経過したときに、当該所定時間が経過した識別子を削除する例で説明したが、これに限らず、例えば記憶容量が十分に確保されていれば識別子を記憶したままとしてもよい。しかし、通常、識別子は有限な帯域をサイクリックに使用しているため、上記実施形態のように、記憶されている識別子のうち、記憶されてから所定時間が経過したものを削除することは好ましい。
【図面の簡単な説明】
【００４２】
【図１】本発明に係る同報配信システムの一実施形態の構成例を示すブロック図である。
【図２】本発明に係る同報配信システムでの処理例の流れを示すシーケンス図である。
【図３】図１中の移動通信端末の構成例を示すブロック図である。
【図４】図１中の移動通信端末でのメッセージ受信処理の一例を示すフローチャートである。
【図５】識別子管理処理中に参照されるパラメータ設定テーブルの一例を示す図である。
【図６】識別子を構成するための「Ｓｅｒｉａｌ  Ｎｕｍｂｅｒ」の一例を示す図である。
【図７】図４のメッセージ受信処理での識別子管理処理の一例を示すフローチャートである。
【図８】本発明に係る同報配信システムでの処理例の流れを示すシーケンス図である。
【図９】従来の同報配信システムでの処理例の流れを示すシーケンス図である。
【図１０】従来の同報配信システムでの処理例の流れを示すシーケンス図である。
【符号の説明】
【００４３】
１（１ａ、１ｂ、１ｃ）    移動通信端末
２（２ａ、２ｂ、２ｃ、２ｄ）    無線基地局
３（３ａ、３ｂ）    基地局制御装置
４    交換機
６    セルブロードキャストセンタ
７    情報源
１５    メッセージ受信処理部
【図１】
0005172463.tif 000002
【図２】
0005172463.tif 000003
【図３】
0005172463.tif 000004
【図４】
0005172463.tif 000005
【図５】
0005172463.tif 000006
【図６】
0005172463.tif 000007
【図７】
0005172463.tif 000008
【図８】
0005172463.tif 000009
【図９】
0005172463.tif 000010
【図１０】
0005172463.tif 000011